(57)【要約】【課題】  ソレノイドが引き込み時に作動しバルブを開くものと、ソレノイドが押し出し時に作動しバルブを閉じるものとのいずれのものについても、共通部品で提供する。【解決手段】  通電時にロッド１１を原点位置から一方向に移動させるソレノイド１０と、ソレノイド１０に無通電時にはロッド１１を原点位置に復帰させるスプリング１４とを備え、ロッド１１の移動に伴って流体経路を開閉するボールバブルを制御するソレノイドバルブであり、ロッド１１は両端側のいずれにも選択的にボールバルブを配置することができる。【選択図】        図１
0003126993.tif 000002
【実用新案登録請求の範囲】
【請求項１】
通電時にロッドを原点位置から一方向に移動させるソレノイドと、該ソレノイドに無通電時にはロッドを原点位置に復帰させるスプリングとを備え、該ロッドの移動に伴って流体経路を開閉するバルブ部を制御するソレノイドバルブであって、前記ロッドは両端側のいずれにも選択的に前記バルブ部を配置することができるよう構成されたことを特徴とするソレノイドバルブ。
【請求項２】
前記ロッドにおける両端側のうち、前記バルブ部を配置しない方には、ロッドが外部に露出しないようキャップを取り付けたことを特徴とする請求項１に記載されたソレノイドバルブ。
【請求項３】
前記ロッドにおける両端側うち、前記バルブ部を配置しない方には、ロッドの進退量を検出するセンサを取り付けたことを特徴とする請求項１に記載されたソレノイドバルブ。
【考案の詳細な説明】
【技術分野】
【０００１】
本考案は、主に航空機用の空調システムに使用されるソレノイドバルブに関する。
【背景技術】
【０００２】
航空機用の空調システム等に、空気の流量調節、シャットオフ等の目的で空気圧作動のバルブが用いられている。例えば、図３に示すように、バタフライバルブ１０２の上流の空気圧をバタフライバルブ１０２のアクチュエータ１０５に通ずることによりバタフライバルブ１０２の開閉作動を行うよう構成されているが、このアクチュエータ１０５に通ずる途中に、ソレノイド作動によるボールバルブ１００ａ（以下、ソレノイドバルブ１００という）を設置し、ソレノイドに通電、また無通電とすることにより、ボールバルブ１００ａを開閉作動させる。ソレノイドは通電時にアマチュアの引き込みまたは押し出し作動することにより、図４や図５におけるボールバルブ１１１のボール１１２が移動し、流体経路が開くことで、アクチュエータ１０５のシリンダ１０６への圧力をバルブ上流圧または大気圧とし、バタフライバルブ１０２を開閉作動させる。
【０００３】
ところで、この種のソレノイドバルブ１００には、コイル１１５への通電時にアマチュア１１３及びロッド１１４を引き込み作動する引き込み作動型（図４）と、通電時にアマチュア１１３及びロッド１１４を押し出し作動する押し出し作動型（図５）との２種類が存在し、非通電時にバルブが開状態である方が良いのか、閉状態である方が良いのかによって使い分けられる。
【０００４】
また、節電等を考慮して通電時間を短縮化するため、バルブの「閉時間」＞「開時間」の使用形態の場合、通電時にバルブを開く引き込み作動型（無通電時、バルブ閉）、バルブの「閉時間」＜「開時間」の使用形態の場合、通電時はバルブを閉じる押し出し作動型（無通電時、バルブ開）というような使い分けも行われる。
【考案の開示】
【考案が解決しようとする課題】
【０００５】
しかしながら、通電時にアマチュア１１３を引き込むものとするか、押し出すものとするかは設計段階で決定され、各々別のソレノイドバルブ１００が必要となり、製造後に、変更することは出来なかった。
【０００６】
また、ソレノイドバルブ１００は、引き込み作動型と押し出し作動型とに応じて、コイル１１４等の一部の部品を除き、別々の部品を用意する必要があり、部品の共用化を図れないため、コストアップを招く。
【０００７】
さらに、ソレノイドバルブ１００に取り付けたソレノイドが適切に作動しているかどうかは、ソレノイドバルブ１００に取り付けた状態では確認できず、一部の部品を分解しなければ確認ができなかった。
【０００８】
本考案は、上記した課題を解決し、ソレノイドが引き込み時にバルブを開くものと、ソレノイドが押し出し時にバルブを閉じるものとのいずれのものが要求されても、共通部品で対応できるソレノイドバルブを提供することを目的とする。
【課題を解決するための手段】
【０００９】
本考案は、通電時にロッドを原点位置から一方向に移動させるソレノイドと、ソレノイドに無通電時にはロッドを原点位置に復帰させるスプリングとを備え、該ロッドの移動に伴って流体経路を開閉するシート部を制御するソレノイドバルブであって、前記ロッドは両端側のいずれにも選択的にバルブ部を配置することができるよう構成されたことを特徴とする。
【００１０】
また、ロッドにおける両端側のうち、バルブ部を配置しない方には、ロッドが外部に露出しないようキャップを取り付けたことを特徴とする。
【００１１】
さらに、ロッドにおける両端側うち、バルブ部を配置しない方には、ロッドの進退量を検出するセンサを取り付けたことを特徴とする。
【考案の効果】
【００１２】
本考案では、通電時に引き込み作動、押し出し作動の異なる２種類のソレノイドを共通のソレノイドで実現できたので、部品の共通化を図ることができ、コストダウンに寄与する。また、バルブに取り付けた状態で、その作動を確認することが可能となる。さらに、ソレノイドのキャップを外し、アマチュアの作動を確認する際、キャップの代わりにアマチュアのストロークでＯＮ／ＯＦＦ作動するスイッチ回路を取り付けることにより、離れた場所においてもソレノイドの作動を確認することが可能となる。
【考案を実施するための最良の形態】
【００１３】
以下に本実施例について図１〜３を用いて述べる。図３に示すように、航空機用空気調和装置の流量調整機構は、配管１０１を流れる流体（空調に利用されるエンジン抽気）の通過量を、配管１０１内に設けたバタフライバルブ１０２を開閉制御することにより調整するものである。そして、このバタフライバルブ１０２は、別途電気エネルギー等を利用することなく、配管１０１を流れる流体の圧力を利用したアクチュエータ１０５により駆動される。
【００１４】
具体的には、配管１０１におけるバタフライバルブ１０２の上流から流体が、導入通路１０３により導き出され、ソレノイドバルブ１００を通じて、アクチュエータ１０５を駆動するための所定量とされ、バタフライバルブ１０２を駆動するアクチュエータ１０５のシリンダ１０６に供給される。シリンダ１０６には、進退可能にピストン１０７が備えられ、流体が供給されると流体圧がスプリング１０８による付勢力に抗じてピストン１０７を図中下方に押し、リンク機構１０９を介してバタフライバルブ１０２が開くよう構成されている。
【００１５】
本実施例では、特にソレノイドバルブ１００に特徴を有しており、図１、２を用いて説明する。このソレノイド１０は、ロッド１１とそれに固定したアマチュア１２からなる磁芯と、電流を流すことにより磁気を発生するコイル１３と、ロッド１１を原点へ復帰させる方向に力を付勢するスプリング１４と、これらを収容するフレーム１５を主な構成要素とする。ロッド１１は、軸心に沿って両側とも、フレーム１５から一部を突出するような長さを有し、通電時は、ロッド１１が図中の上方に移動することで、ロッド１１の下端はフレーム１５側に引き込まれ、上端はフレーム１５側から押し出される。
【００１６】
しかして、このようなソレノイド１０を引き込み作動型のソレノイドバルブに使用するとき、図１のようにバルブの動作には不要なロッド１１の上端を露出しないようキャップ１６で覆う。ロッド１１の下端は、図示省略のボールバルブのボールに接触するよう構成される。そして、無通電時は、スプリング１４の付勢力をロッド１１によりボールに伝えることでボールバルブは閉じられ、通電時は、電磁力によりロッド１１を移動させスプリング１４の付勢力からボールを解放することで、ボールバルブは開く。
【００１７】
また、押し出し型のソレノイドバルブに使用するとき、図２に示すようにバルブの動作には不要なロッド１１の下端側をキャップ１６で覆う。ロッド１１の上端は、ボールバルブのボールに接触するよう構成される。そして、通電時は、電磁力をロッド１１によりボールに伝えることでボールバルブは閉じられ、無通電時は、スプリング１４の付勢力によりロッド１１が原点方向へ移動してボールを解放することで、ボールバルブは開く。
【００１８】
なお、上記したようにボールバルブの動作に不要な側のロッド１１をキャップ１６で覆うことで、ロッド１１を防護したり、ゴミなどの不要な浸入物から防護したりすることができる。
【００１９】
また、キャップ１６を外すことで、ロッド１１の進退を監視してソレノイド１０の動作を確認することも可能である。さらに、キャップ１６を外し、ロッド１１のストロークでＯＮ／ＯＦＦ作動するスイッチ回路を取り付けることにより、離れた場所においてもソレノイド１０の作動を確認することが可能となる。
【図面の簡単な説明】
【００２０】
【図１】本実施例のソレノイドバルブを引き込み作動型として使用する場合の概略構成図。
【図２】本実施例のソレノイドバルブを押し出し作動型として使用する場合の概略構成図。
【図３】ソレノイドバルブを組み込んだ空気圧作動バルブに関する概略構成図。
【図４】従来の引き込み作動型のソレノイドバルブの概略構成図。
【図５】従来の押し出し作動型のソレノイドバルブの概略構成図。
【符号の説明】
【００２１】
１０  ソレノイド
１１  ロッド
１２  アマチュア
１３  コイル
１４  スプリング
１５  フレーム
１６  キャップ
【図１】
0003126993.tif 000003
【図２】
0003126993.tif 000004
【図３】
0003126993.tif 000005
【図４】
0003126993.tif 000006
【図５】
0003126993.tif 000007